(57)【特許請求の範囲】
【請求項１】
縦長の長方形の枠形に形成され、下端部を前方にＬ字形に折曲して底部とした第１枠体と、横長の長方形の枠形に形成され、左右両端部を前方にＬ字形に折曲して腕部とし、背部を前記第１枠体の縦部の前側に固着した第２枠体とからなるスタンドの前側にＰＤＰ（プラズマディスプレイ）を前向きに取付けるようにしたものに、前記第１枠体の縦部の下端の後側に外向きにキャスターを取付けてなり、移動時には、前記第１枠体の上端部を保持しながら後側に傾け、前記キャスターを床面に接触させ、同キャスターを回動させて移動させるようにしたＰＤＰキャリングスタンド。
【請求項２】
前記第１枠体の底部の折曲部分の長さと前記第２枠体の左右両腕部の長さとを前記ＰＤＰの奥行きより長く設定し、前方向に倒れた場合に、前記第１枠体の底部および第２枠体の両腕部がガードとなりＰＤＰが破損から保護されるようにした請求項１記載のＰＤＰキャリングスタンド。
【請求項３】
前記第１枠体の上端部を同第１枠体の底部と同じ方向に折曲し、前方向に倒れた場合に、前記第１枠体の底部、第２枠体の左右両腕部および第１枠体の上端部がガードとなりＰＤＰが破損から保護されるようにした請求項２記載のＰＤＰキャリングスタンド。
【請求項４】
前記第２枠体の両腕部間の幅と同じ横幅で前記ＰＤＰの縦幅と略同じ縦幅の保護板を具備し、同保護板の左右両端部を前記第２枠体の左右両腕部に取付け、他の荷物との接触時に前記ＰＤＰに損傷が生じないようにした請求項１、２または３記載のＰＤＰキャリングスタンド。
【請求項５】
横長の長方形の枠形で、前記第２枠体の左右両腕部間と同じ横幅に形成した第３枠体を具備し、同第３枠体の左右両端部を前記第２枠体の左右両腕部に取付け、他の荷物との接触時に前記ＰＤＰに損傷が生じないようにした請求項１、２または３記載のＰＤＰキャリングスタンド。
【請求項６】
縦長の長方形の枠形で、前記第１枠体の上端部と底部の先端部分との間と同じ長さに形成した第４枠体を具備し、同第４枠体の上端部を前記第１枠体の上端部に、第４枠体の下端部を第１枠体の底部の先端部分にそれぞれ取付け、他の荷物との接触時に前記ＰＤＰに損傷が生じないようにした請求項１、２または３記載のＰＤＰキャリングスタンド。
【請求項７】
横長の長方形の枠形で、前記第２枠体の左右両腕部間と同じ横幅に形成した第３枠体と、縦長の長方形の枠形で、前記第１枠体の上端部と底部の先端部分との間と同じ長さに形成した第４枠体とを具備し、前記第３枠体の左右両端部を前記第２枠体の左右両腕部に取付けると共に、前記第４枠体の上端部を前記第１枠体の上端部に、第４枠体の下端部を第１枠体の底部の先端部分にそれぞれ取付け、他の荷物との接触時に前記ＰＤＰに損傷が生じないようにした請求項１、２または３記載のＰＤＰキャリングスタンド。
【請求項８】
前記第４枠体の上方部分を前方にヘ字形に折曲し、同第４枠体が前記ＰＤＰに接触しないようにした請求項６または７記載のＰＤＰキャリングスタンド。
【請求項９】
前記各枠体は金属パイプを用いて形成したものでなる請求項１乃至８のいずれかに記載のＰＤＰキャリングスタンド。
【発明の詳細な説明】
【０００１】
【発明の属する技術分野】
本発明はＰＤＰキャリングスタンドに係り、ＰＤＰ（プラズマディスプレイ）を移動する場合に運搬がしやすく、かつ、万が一転倒してもＰＤＰを破損から保護するものに関する。
【０００２】
【従来の技術】
ＰＤＰは、口径の大きいものは重量が嵩む。このため、ＰＤＰの運搬は、例えば、二人でＰＤＰの両側を持ち上げて運搬するか、台車に載せて運搬するか、あるいは、専用のケースに収納し、これを台車に載せて運搬することが必要で、台車で運搬する場合でも、台車への積卸しの都度二人の力が必要であり、頻繁にＰＤＰを移動しなければならない場合に甚だ手間のかかるものであった。また、専用ケースに収納せずに運搬する場合、運搬中の他の荷物との接触でＰＤＰのガラスや筐体が損傷する危険性もあった。
【０００３】
【発明が解決しようとする課題】
本発明は、小型・軽量で、ＰＤＰ使用時はスタンドとなり、ＰＤＰの移動時にはＰＤＰをスタンドに取付けたままの状態で容易に運搬ができ、かつ、転倒や接触があってもＰＤＰや筐体が破損しないようにすることを目的とする。
【０００４】
【課題を解決するための手段】
上記目的を達成するため、本発明のＰＤＰキャリングスタンドは、縦長の長方形の枠形に形成され、下端部を前方にＬ字形に折曲して底部とした第１枠体と、横長の長方形の枠形に形成され、左右両端部を前方にＬ字形に折曲して腕部とし、背部を前記第１枠体の縦部の前側に固着した第２枠体とからなるスタンドの前側にＰＤＰを前向きに取付けるようにしたものに、前記第１枠体の縦部の下端の後側に外向きにキャスターを取付けてなり、移動時には、前記第１枠体の上端部を保持しながら後側に傾け、前記キャスターを床面に接触させ、同キャスターを回動させて移動させるようにする。
【０００５】
前記第１枠体の底部の折曲部分の長さと前記第２枠体のＬ字形に折曲した左右の腕部の長さとを前記ＰＤＰの奥行きより長く設定し、前方向に倒れた場合に、前記第１枠体の底部および第２枠体の両腕部がガードとなりＰＤＰが破損から保護されるようにする。
【０００６】
なお、前記第１枠体の上端部を同第１枠体の底部と同じ方向に折曲し、前方向に倒れた場合に、前記第１枠体の底部、第２枠体の左右両腕部および第１枠体の上端部がガードとなりＰＤＰが破損から保護されるようにしてもよい。
【０００７】
また、前記第２枠体の両腕部間の幅と同じ横幅で前記ＰＤＰの縦幅と略同じ縦幅に形成した保護板を具備し、同保護板の左右両端部を前記第２枠体の左右両腕部に取付け、他の荷物との接触時に前記ＰＤＰに損傷が生じないようにする。
【０００８】
あるいは、横長の長方形の枠形で、前記第２枠体の左右両腕部間と同じ横幅に形成した第３枠体を具備し、同第３枠体の左右両端部を前記第２枠体の左右両腕部に取付けるか、または、縦長の長方形の枠形で、前記第１枠体の上端部と底部の先端部分との間と同じ長さに形成した第４枠体を具備し、同第４枠体の上端部を前記第１枠体の上端部に、第４枠体の下端部を第１枠体の底部の先端部分にそれぞれ取付け、他の荷物との接触時に前記ＰＤＰに損傷が生じないようにしてもよい。
【０００９】
または、前記第３枠体と第４枠体の両方を具備し、同第３枠体の左右両端部を前記第２枠体の左右両腕部に取付けると共に、前記第４枠体の上端部を前記第１枠体の上端部に、第４枠体の下端部を第１枠体の底部の先端部分にそれぞれ取付けてもよい。
【００１０】
そして、前記第４枠体の上方部分を前方にヘ字形に折曲し、同第４枠体が前記ＰＤＰに接触しないようにしてもよい。
【００１１】
なお、前記各枠体は金属パイプを用いて形成してもよい。
【００１２】
【発明の実施の形態】
発明の実施の形態を実施例に基づき図面を参照して説明する。
図１は本発明によるＰＤＰキャリングスタンドの一実施例で、（Ａ）は要部斜視図、（Ｂ）はＰＤＰ取付けの説明図である。図の１は第１枠体、２は第２枠体で、共に、例えば、金属パイプを折曲して形成する。３はＰＤＰである。
第１枠体１は、例えば、金属パイプを縦長の長方形の枠形に形成したものを用い、下端部を前方にＬ字形に折曲して底部４とし、縦部５の下端の後側に外向きにキャスター６を取付ける。第２枠体２は、例えば、金属パイプを横長の長方形の枠形に形成したものを用い、左右両端部を前方にＬ字形に折曲して腕部７、８とし、背部９を第１枠体１の縦部５の前側に固着し、スタンドを構成する。そして、第２枠体２の前側にＰＤＰ３を前向きに取付ける。第１枠体１の底部４は、ＰＤＰ３の奥行き寸法より十分に長く、また、第２枠体２の腕部７、８もＰＤＰ３の奥行きより長い寸法にしておく。10は第１枠体１の上端部、11はＰＤＰ３を取付けるためのネジである。これにより、ＰＤＰ３の略全重量が第１枠体１の底部４にかかることになり、図２（Ａ）に示すようにＰＤＰキャリングスタンドは安定な状態で据え置くことができる。なお、第１、第２枠体１、２は、ＰＤＰ３の重量に耐えられるように十分な強度を持ち、かつ、軽量の金属のパイプを用いる。
【００１３】
図２はＰＤＰキャリングスタンドを動かす場合の説明図で、（Ａ）は上述のようにＰＤＰキャリングスタンドを据え置いた状態を示す。ＰＤＰキャリングスタンドは底部４全体が床面に接しており、安定した状態にある。ＰＤＰキャリングスタンドの移動は、まず、（Ｂ）に示すように、第１枠体１の上端部10を保持しながら後側（図の左方）に傾け、（Ｃ）に示すように、キャスター６が床面に接し、底部４が床面から離れるまで傾け、上端部10を持ち、キャスター６を転がして左方向または右方向に移動する。
【００１４】
図３はＰＤＰキャリングスタンドが前方に転倒した場合を示したもので、ＰＤＰ３は、左右（図の表裏方向）に第２枠体２の両腕部７、８が突出しているので、ＰＤＰキャリングスタンドが転倒しても、ＰＤＰ３は両腕部７、８と、底部４とでガードされているので、ＰＤＰ３は床面に当たらず、破損を免れることができる。なお、第１枠体１の上端部10も前方（底部４と同じ方向）にヘ字状に折曲しておき、前方に転倒したときＰＤＰ３の上部が床面に接触し傷がつかないようにしておく。
【００１５】
しかし、ＰＤＰ３は前面が露出した状態のため、例えば、輸送時に他の荷物と接触し、前面ガラスや筐体が損傷する場合がある。図４と図５はこれらの対策の例で、まず、図４は、前面に保護板を取付ける例である。すなわち、第２枠体２の腕部７、８間の幅と略同じ横幅で、ＰＤＰ３の縦幅と略同じ縦幅の保護板21を具備し、保護板21の左右両端部をネジ22で腕部７、８に取付ける。これにより、他の荷物との接触でＰＤＰ３に損傷が生じないようにできる。
【００１６】
また、図５は、前面に第３枠体31と第４枠体33とからなる保護フレームを取付けた例である。すなわち、第３枠体31は、横長の長方形の枠形で、第２枠体２の左右両腕部７、８間と同じ横幅に形成したもの、第４枠体33は、縦長の長方形の枠形で、第１枠体１の上端部10と底部４の先端部分との間と同じ長さに形成したもので、まず、第３枠体31の左右両端部を第２枠体２の左右両腕部７、８にネジ32で取付け、次に、第４枠体33の上端部を第１枠体１の上端部10に、下端部を第１枠体１の底部４の先端部分にそれぞれネジ34で取付け、これらによりＰＤＰ３が破損しないようにする。なお、上記では第３枠体31と第４枠体33を同時に取付ける例を示したが、第３枠体31か第４枠体33のいずれか一方のみを取付けることによっても、他の荷物との接触でＰＤＰ３に損傷が生じないようにできる。
【００１７】
【発明の効果】
以上に説明したように、本発明によるＰＤＰキャリングスタンドによれば、ＰＤＰを、軽量で強度のある金属パイプを用いて形成したスタンドに取付けたもので、ＰＤＰ使用時はスタンドとして安定した状態で据え置くことができ、ＰＤＰの移動時には、スタンドにＰＤＰを取付けたままの状態で、キャスターを転がして移動することができる。キャリングスタンドの底部と左右両腕部をＰＤＰの奥行きより長くし、ＰＤＰをガードするものであるから、比較的軽量で、移動が容易なので一人で運搬することができ、かつ、万が一転倒しても、ＰＤＰは底部と腕部でガードされるのでＰＤＰは破損を免れることができる。また、前面に保護板を取付けるか、または、保護用の枠体（第３枠体または第４枠体、または両方）を前面に取付けることにより、例えば、輸送中に他の荷物と接触した場合でもＰＤＰに損傷が生じることがない。
【図面の簡単な説明】
【図１】本発明によるＰＤＰキャリングスタンドの一実施例で、（Ａ）はＰＤＰを取付けた状態の要部斜視図、（Ｂ）はＰＤＰの取付け前の状態の要部斜視図である。
【図２】ＰＤＰキャリングスタンドを移動する場合の説明図である。
【図３】ＰＤＰキャリングスタンドの転倒時の説明図である。
【図４】ＰＤＰキャリングスタンドに保護板を取付ける場合の一例である。
【図５】ＰＤＰキャリングスタンドに保護フレームを取付ける場合の一例である。
【符号の説明】
１  第１枠体
２  第２枠体
３  ＰＤＰ
４  底部
５  縦部
６  キャスター
７、８  腕部
９  第２枠体の背部
10  上端部
11、22、32、34  ネジ
21  保護板
31  第３枠体
33  第４枠体
【図１】
0003674572.tif 000002
【図２】
0003674572.tif 000003
【図３】
0003674572.tif 000004
【図４】
0003674572.tif 000005
【図５】
0003674572.tif 000006